(57)【要約】【課題】携帯端末の利用者がＷｅｂページに関連する豊富な情報に容易にアクセスでき、また、情報提供者に対して携帯端末用の情報以外の豊富な情報を利用者に提供する機会を与える。【解決手段】利用者端末からの要求に応じてＷｅｂページを取得し、当該Ｗｅｂページに関連するコンテンツを示す情報を取得する取得手段と、利用者端末用に変換したＷｅｂページと前記コンテンツを示す情報とを利用者端末に送信する手段と、利用者端末からコンテンツの保管要求を受信したことに応じて、当該コンテンツを取得し、当該コンテンツに関連するメタ情報をデータベースに蓄積するとともに、当該コンテンツを予め指定されたストレージ領域に格納する手段とを有するようにセンタ装置を構成する。【選択図】  図３
2004355276.tif 000002
【特許請求の範囲】
【請求項１】
利用者端末からの要求に応じてＷｅｂページを取得し、当該Ｗｅｂページに関連するコンテンツを示す情報を取得する取得手段と、
利用者端末用に変換したＷｅｂページと前記コンテンツを示す情報とを利用者端末に送信する手段と、
利用者端末からコンテンツの保管要求を受信したことに応じて、当該コンテンツを取得し、当該コンテンツに関連するメタ情報をデータベースに蓄積するとともに、当該コンテンツを予め指定されたストレージ領域に格納する手段と
を有することを特徴とするセンタ装置。
【請求項２】
前記取得手段は、前記Ｗｅｂページに関連するコンテンツに関する情報と前記ストレージ領域に関する情報とを比較することによりコンテンツを選択し、選択されたコンテンツを示す情報を取得する請求項１に記載のセンタ装置。
【請求項３】
前記取得手段は、前記Ｗｅｂページに関連するコンテンツに関する情報と、利用者に関する情報とを比較することによりコンテンツを選択し、選択されたコンテンツを示す情報を取得する請求項１に記載のセンタ装置。
【請求項４】
前記データベースに蓄積したメタ情報を用いることにより利用者に所望のコンテンツを選択させる画面をＷｅｂページとして送信する手段を更に有する請求項１に記載のセンタ装置。
【請求項５】
利用者端末からの要求に応じてコンテンツを格納するセンタ装置における処理方法であって、
利用者端末からの要求に応じてＷｅｂページを取得し、当該Ｗｅｂページに関連するコンテンツを示す情報を取得する取得ステップと、
利用者端末用に変換したＷｅｂページと前記コンテンツを示す情報とを利用者端末に送信するステップと、
利用者端末からコンテンツの保管要求を受信したことに応じて、当該コンテンツを取得し、当該コンテンツに関連するメタ情報をデータベースに蓄積するとともに、当該コンテンツを予め指定されたストレージ領域に格納するステップと
を有することを特徴とする方法。
【請求項６】
前記取得ステップにおいて、前記Ｗｅｂページに関連するコンテンツに関する情報と前記ストレージ領域に関する情報とを比較することによりコンテンツを選択し、選択されたコンテンツを示す情報を取得する請求項５に記載の方法。
【請求項７】
前記取得ステップにおいて、前記Ｗｅｂページに関連するコンテンツに関する情報と、利用者に関する情報とを比較することによりコンテンツを選択し、選択されたコンテンツを示す情報を取得する請求項５に記載の方法。
【請求項８】
前記データベースに蓄積したメタ情報を用いることにより利用者に所望のコンテンツを選択させる画面をＷｅｂページとして送信するステップを更に有する請求項５に記載の方法。
【請求項９】
コンピュータを、
利用者端末からの要求に応じてＷｅｂページを取得し、当該Ｗｅｂページに関連するコンテンツを示す情報を取得する取得手段、
利用者端末用に変換したＷｅｂページと前記コンテンツを示す情報とを利用者端末に送信する手段、
利用者端末からコンテンツの保管要求を受信したことに応じて、当該コンテンツを取得し、当該コンテンツに関連するメタ情報をデータベースに蓄積するとともに、当該コンテンツを予め指定されたストレージ領域に格納する手段
として機能させるプログラム。
【請求項１０】
前記取得手段は、前記Ｗｅｂページに関連するコンテンツに関する情報と前記ストレージ領域に関する情報とを比較することによりコンテンツを選択し、選択されたコンテンツを示す情報を取得する請求項９に記載のプログラム。
【請求項１１】
前記取得手段は、前記Ｗｅｂページに関連するコンテンツに関する情報と、利用者に関する情報とを比較することによりコンテンツを選択し、選択されたコンテンツを示す情報を取得する請求項９に記載のプログラム。
【請求項１２】
コンピュータを、前記データベースに蓄積したメタ情報を用いることにより利用者に所望のコンテンツを選択させる画面をＷｅｂページとして送信する手段として機能させる請求項９に記載のプログラム。
【請求項１３】
請求項９ないし１３のうちいずれか１項に記載のプログラムを記録したコンピュータ読み取り可能な記録媒体。
【発明の詳細な説明】
【０００１】
【発明の属する技術分野】
本発明は、携帯端末では表示できないコンテンツを利用者の指定するストレージ領域に保管しておき、そのコンテンツを別の端末等から検索、閲覧することを可能とする技術に関する。
【０００２】
【従来の技術】
携帯電話機等の携帯端末からインターネットに接続するサービスが普及しているが、携帯端末はＰＣ等と比較して表示能力に制限があるため、携帯端末にはＰＣに表示されるＷｅｂページと同じＷｅｂページを表示することができないのが一般的である。
【０００３】
従って、Ｗｅｂページを提供するサーバは、携帯端末の表示能力に応じてその携帯端末用のＷｅｂページを用意したり、携帯端末の表示能力に合わせてＷｅｂページを変換して携帯端末にＷｅｂページを提供している（例えば特許文献１参照）。
【０００４】
【特許文献１】
特開２００１−３３１３６２号公報
【０００５】
【発明が解決しようとする課題】
上記の従来技術では、Ｗｅｂページに関連して動画や写真等のコンテンツがあったとしても、その動画や写真等のコンテンツが携帯端末の表示能力を超えているものであれば、そのコンテンツは携帯端末に表示されない。
【０００６】
従って、そのコンテンツを取得するためには、例えば携帯端末の保持者がＷｅｂページのアドレスを記憶もしくはメモしておき、帰宅後に自宅のＰＣ等の表示能力の制限のない端末からそのＷｅｂページにアクセスし、目的のコンテンツまでリンクをたどって行く必要があった。
【０００７】
すなわち、従来の技術では、携帯端末の利用者にとってはＷｅｂページに関して当該携帯端末に表示できないコンテンツを取得するのに手間がかかるという問題があり、また、情報提供者側にとっては、豊富なコンテンツを持っているにもかかわらず、携帯端末に対しては携帯端末用に限定されたコンテンツしか提供できないという問題があった。
【０００８】
本発明は上記の点に鑑みてなされたものであり、利用者がＷｅｂページに関連する豊富な情報に容易にアクセスでき、また、情報提供者に対して携帯端末用の情報以外の豊富な情報を利用者に提供する機会を与えることを可能とする技術を提供することを目的とする。
【０００９】
【課題を解決するための手段】
上記の目的は、利用者端末からの要求に応じてＷｅｂページを取得し、当該Ｗｅｂページに関連するコンテンツを示す情報を取得する取得手段と、利用者端末用に変換したＷｅｂページと前記コンテンツを示す情報とを利用者端末に送信する手段と、利用者端末からコンテンツの保管要求を受信したことに応じて、当該コンテンツを取得し、当該コンテンツに関連するメタ情報をデータベースに蓄積するとともに、当該コンテンツを予め指定されたストレージ領域に格納する手段とを有するセンタ装置により解決される。
【００１０】
本発明によれば、コンテンツ提供者は、携帯端末等の利用者に、携帯端末用のコンテンツ以外に豊富なコンテンツがあることを知らせることができ、利用者は上記センタ装置にアクセスすることにより、容易に豊富なコンテンツをストレージ領域から取得できる。
【００１１】
前記取得手段は、前記Ｗｅｂページに関連するコンテンツに関する情報と前記ストレージ領域に関する情報とを比較することによりコンテンツを選択し、選択されたコンテンツを示す情報を取得する。
【００１２】
本発明によれば、例えば、コンテンツの容量や好適な通信速度と、ストレージ領域の残容量と通信速度とを比較することにより、指定のストレージ領域に適したコンテンツのみを取得できる。
【００１３】
また、前記取得手段は、前記Ｗｅｂページに関連するコンテンツに関する情報と、利用者に関する情報とを比較することによりコンテンツを選択し、選択されたコンテンツを示す情報を取得するように構成することもできる。
【００１４】
本発明によれば、例えば、コンテンツに年齢制限があるような場合に、利用者の年齢が年齢制限をクリアした場合にのみコンテンツを取得することができる。
【００１５】
また、上記のセンタ装置は、前記データベースに蓄積したメタ情報を用いることにより利用者に所望のコンテンツを選択させる画面をＷｅｂページとして送信する手段を更に有する。
【００１６】
本発明により、利用者はコンテンツのメタ情報からコンテンツの内容を知ることができ、容易に所望のコンテンツを取得することが可能となる。
【００１７】
【発明の実施の形態】
以下、図面を参照して本発明の実施の形態について説明する。
【００１８】
図１は本発明の実施の形態におけるシステム構成図である。図１に示すように、本発明の実施の形態におけるシステムは、本発明に係る処理を行うコンテンツハンドリング装置１（センタ装置ともいう）、コンテンツを提供するコンテンツ提供装置２、コンテンツを保存するストレージ装置３、利用者の自宅等のＰＣ（パーソナルコンピュータ）４がインターネット５に接続された構成をとる。利用者の携帯端末６はインターネットを介してコンテンツハンドリング装置１にアクセスする。
【００１９】
コンテンツハンドリング装置１、コンテンツ提供装置２、ストレージ装置３の各装置はコンピュータ及び当該コンピュータ上で実行されるプログラムにより実現される。なお、ストレージ装置３は、利用者にデータの保存領域を提供するいわゆるストレージサービスにおいて備えられるストレージ装置である。なお、コンテンツハンドリング装置１とストレージ装置３は同一装置としてもよい。また、ストレージ装置３は、携帯端末６の利用者の自宅等におけるいわゆるホームネットワークのサーバとすることもできる。携帯端末６は、例えば携帯電話機、ＰＤＡ（ｐｅｒｓｏｎａｌ  ｄｉｇｉｔａｌ  ａｓｓｉｓｔａｎｔ）等である。
【００２０】
上記の各装置におけるプログラムは、コンピュータが読み取りできる記録媒体、例えば、ＦＤ（フロッピー（登録商標）ディスク）や、ＭＯ、ＲＯＭ、メモリカード、ＣＤ−ＲＯＭ、ＤＶＤ、リムーバブルディスクなどに記録して、保存したり、配布したりすることが可能である。また、そのプログラムは、インターネットや電子メールなど、ネットワークを通して提供することも可能である。
【００２１】
図１に示すシステムの動作概要について図２のシーケンスチャートを参照して説明する。
【００２２】
まず、携帯端末６は、コンテンツハンドリング装置１が提供するＷｅｂページ（以下、ポータルサイトという）にアクセスし、ポータルサイトから、コンテンツ提供装置２が提供する所望のＷｅｂページを要求する（ステップ１）。なお、所望のＷｅｂページを要求する前に、コンテンツハンドリング装置１が提供するサービスへの登録として、利用者に関する事項（年齢、住所、興味等）、利用者が利用するストレージサービスにおけるストレージ領域に関する情報（アドレス、容量、使用可能な通信速度等）、利用者のＰＣ４に関する情報（通信速度等）を利用者がポータルサイトから入力する。
【００２３】
コンテンツハンドリング装置１は、携帯端末６からのＷｅｂページ取得要求に応じて、コンテンツ提供装置２からＷｅｂページを取得する（ステップ２）。そして、Ｗｅｂページにおけるメタ情報を抽出し、その中から携帯端末６に表示できないような動画等のコンテンツに関する情報を取得し、その情報と利用者のストレージ領域に関する情報とを比較することにより適切なコンテンツを選択する（メタ情報処理：ステップ３）。
【００２４】
本明細書において“メタ情報”とは、「取得したＷｅｂページ自身に関する事項を記述している情報、及び、Ｗｅｂページ内にリンクとして含まれるコンテンツに関する事項を記述している情報」のことである。
【００２５】
例えば、メタ情報の基本的記述要素を定義したダブリン・コア（Ｄｕｂｌｉｎ  ｃｏｒｅ）に準じて記述されたファイルにおけるラベルＴｉｔｌｅ  はＷｅｂページのタイトルを示し、Ｃｒｅａｔｏｒは著者あるいは作者を示す。また、メタ情報を記述する標準的枠組みを提供しようとするＲＤＦ  （Ｒｅｓｏｕｒｃｅ  Ｄｅｓｃｒｉｐｔｉｏｎ  Ｆｒａｍｅｗｏｒｋ）仕様などがある。
【００２６】
ただし、上記の仕様等はメタ情報を利用し易くするために定められているものであり、このように特別に定められたものでなくても「取得したＷｅｂページ自身に関する事項を記述している情報、及び、Ｗｅｂページ内にリンクとして含まれるコンテンツに関する事項を記述している情報」であればメタ情報である。
【００２７】
ステップ３の処理に続き、コンテンツハンドリング装置１は、携帯端末６への表示用にＷｅｂページの内容を変換する（ステップ４）。そして、選択したコンテンツを示す情報と変換後のＷｅｂページとを結合し、Ｗｅｂページ内のＵＲＬを書き換える処理を行う（ステップ５）。そして、結合したＷｅｂページを携帯端末６に送信する（ステップ６）。
【００２８】
携帯端末６では、アクセスしたＷｅｂページに動画等のコンテンツがあることが例えばアイコンにより表示され、利用者がそのコンテンツを示す情報を選択してクリックすることにより、保存要求がコンテンツハンドリング装置１に送られる（ステップ７）。コンテンツハンドリング装置１は、選択されたコンテンツをコンテンツ提供装置２（このコンテンツ提供装置は最初にＷｅｂページを取得したコンテンツ提供装置と異なる場合がある）から取得し（ステップ８）、最初に取得したＷｅｂページ及び当該コンテンツに関する、リンク情報、メタ情報をデータベースに格納する等の処理（ステップ９）を行った後に、コンテンツをストレージ装置の当該利用者のストレージ領域に保存する（ステップ１０）。
【００２９】
ストレージ領域はコンテンツの保管完了を持ってその旨の通知を返す（ステップ１０ａ）。また、ストレージ装置としてホームネットワークのサーバのような常時稼動しているとは限らないストレージ装置が選択された場合には、一旦コンテンツハンドリング装置１内にコンテンツを格納しておき該当するストレージ装置との通信が確保された段階でコンテンツの転送を開始するように構成してもよい。
【００３０】
その後、利用者は、ＰＣ４からコンテンツハンドリング装置１にアクセスすることにより、保存しておいたコンテンツの一覧を閲覧できる（ステップ１１）、利用者はＰＣ４から所望のコンテンツを選択することにより、そのコンテンツを取得できる（ステップ１２）。
【００３１】
図３は、コンテンツハンドリング装置１の機能構成と、他の装置との情報の送受信を詳細に示した図である。
【００３２】
図３に示すように、コンテンツハンドリング装置１は、取得したＷｅｂページに対するメタ情報処理を行うメタ情報処理機能１１、携帯端末６に送信するためにＷｅｂページ内のＵＲＬを書き換えるＵＲＬ書き換え処理機能１２、保管したコンテンツを後で利用者が容易に取得するための情報をリンク情報データベースに記録するためのリンク情報／メタ情報処理機能１３、当該リンク情報データベース１４、ＰＣ４からの要求に応じて保存しておいたコンテンツを選択するためのＷｅｂページを送信するＷｅｂページ送信機能１６を有している。また、取得したＷｅｂページを携帯端末表示用に変換するためのコンテンツ変換機能１５を備えてもよいが、これはコンテンツハンドリング装置１の外部に備えてもよい。なお、リンク情報データベース１４はコンテンツハンドリング装置１の外部（例えばストレージ装置３）に備えてもよい。
【００３３】
次に、図３を参照しながらコンテンツハンドリング装置１の処理について詳細に説明する。
【００３４】
携帯端末６からのコンテンツハンドリング装置１のポータルサイトへのアクセスの後、携帯端末６から所望のＷｅｂページの要求が送信されると、コンテンツハンドリング装置１は、当該Ｗｅｂページ要求をコンテンツ提供装置２に転送し、Ｗｅｂページを取得する（ステップ２１〜２３）。
【００３５】
次に、メタ情報取得処理機能１１により、取得したＷｅｂページを解析し、メタ情報を取得する。メタ情報とは前述したとおりであり、例えば、所定のラベル（ＲＤＦファイルであれば、ｄｃ：ｔｉｔｌｅ，  ｄｃ：ｉｄｅｎｔｉｆｉｅｒ，  ｄｃ：ｄｅｓｃｒｉｐｔｉｏｎ，  ｄｃ：ｔｙｐｅ，  ｄｃ：ｄｅｓｃｒｉｐｔｉｏｎ等）により判断することにより、Ｗｅｂページのタイトル、キーワード、ＵＲＬ、Ｗｅｂページの説明、動画や音声等のコンテンツの説明（コンテンツの容量、適した通信速度、等を含む）、コンテンツファイル名、等を取得する。なお、動画や音声等のコンテンツであることは、例えば、コンテンツファイル名における拡張子により識別できる。
【００３６】
そして、取得したメタ情報を用いて、コンテンツ毎にその容量と適した通信速度と、ユーザのストレージ領域の情報とを比較し、適切なコンテンツを選択し、そのコンテンツに関するメタ情報をメモリ等に記憶しておく。
【００３７】
容量に関しては、コンテンツハンドリング装置１は、利用者が予め通知しておいたストレージ領域の残容量とコンテンツの容量とを比較する。もしくは、携帯端末６からのアクセスを受けた時点で、コンテンツハンドリング装置１自身がその利用者用のストレージ領域の残容量を調べるように構成することもできる。
【００３８】
通信速度に関しては、利用者が用いるストレージサービスにおけるダウンロードの際の通信速度の値と、当該コンテンツに適した通信速度とを比較する。また、利用者が予めＰＣ４のインターネットへの接続速度をコンテンツハンドリング装置１に通知しておき、コンテンツハンドリング装置１が、その通信速度の値とコンテンツ用の通信速度に関する値とを比較するようにしてもよい。
【００３９】
このようにして、利用者がＰＣ４から閲覧等するのに適したコンテンツが選択される。コンテンツの選択は、上記の容量と通信速度の他に種々の条件を用いて行うことが可能である。例えば、当該コンテンツの閲覧に年齢制限があれば、メタ情報からそのことを把握し、利用者が予め登録した年齢と比較して、年齢制限をクリアした場合に当該コンテンツを選択する。また、利用者が興味のある分野のキーワードを予め登録しておき、メタ情報にそのキーワードが含まれていて、他の条件を満たした場合に当該コンテンツを選択するように構成することもできる。
【００４０】
さて、コンテンツハンドリング装置１では、上記の処理とは別に、コンテンツ変換機能１５により携帯端末６への表示用にＷｅｂページを変換する（ステップ２４）。この変換処理自体は従来技術を用いて行うことができる。なお、コンテンツ変換機能はコンテンツハンドリング装置１が備えていてもよいし、外部のサーバ等に備えていてもよい。外部のサーバにコンテンツ変換機能を有する場合には、Ｗｅｂページを当該サーバに送信し、当該サーバから変換後のＷｅｂページを受信する。
【００４１】
次に、ＵＲＬ書き換え処理機能１２により、メタ情報処理機能１１により選択したコンテンツの情報と、変換されたＷｅｂページの情報とを結合するとともに、ページ内のリンクのＵＲＬを書き換える。すなわち、ページ内のＵＲＬを書き換えない場合には、携帯端末６で当該リンクを選択すると直接そのリンクのサイトにアクセスしてしまうので、コンテンツハンドリング装置１が提供するサービスを受けられなくなってしまう。従って、リンクを、コンテンツハンドリング装置１経由でリンク先の目的のサイトにアクセスできるように書き換える。そして、結合したＷｅｂページを携帯端末６に送信する（ステップ２５）。
【００４２】
上記の処理を施したＷｅｂページを受信した携帯端末６では、例えば、図４の（ａ）、（ｂ）に示す画面が表示される。図４（ａ）の場合、変換後のＷｅｂページの下欄に当該Ｗｅｂページに関連する動画、音声等のコンテンツがアイコンで表示される。このアイコンは、例えば動画、音声等のコンテンツを表示するためのアプリケーションのアイコンである。図４（ｂ）の場合、変換後のＷｅｂページの下欄に当該Ｗｅｂページに関連する動画、音声等のコンテンツ名や、その内容の一覧が表示される。
【００４３】
利用者が、携帯端末６の画面に表示されたコンテンツを選択することにより、コンテンツのストレージへの保管要求が送信される（ステップ２６）。
【００４４】
保管要求を受信したコンテンツハンドリング装置１は、保管要求に含まれるＵＲＬ等の内容を元にコンテンツを保持するコンテンツ提供装置２に当該コンテンツを要求し、取得する（ステップ２７、２８）。
【００４５】
そして、リンク情報／メタ情報処理機能１３により、取得したコンテンツを格納するストレージ領域の場所を示すリンク情報と、メタ情報処理機能１１により既に取得したメタ情報と、当該コンテンツ取得において新たに取得するメタ情報とをリンク情報データベース１４に格納する（ステップ２９）。なお、リンク情報データベース１４に格納したコンテンツのメタ情報は、後で保管したコンテンツを容易にストレージから取得するための情報として利用される。そして、コンテンツを所定のストレージ領域に格納する（ステップ３０）。
【００４６】
リンク情報データベースには利用者毎に例えば図５に示す情報が格納される。すなわち、利用者がアクセスしたＷｅｂページ毎に、Ｗｅｂページのメタ情報と、Ｗｅｂページに関連したコンテンツを示す１つ又は複数の識別子（例えば、ストレージ領域におけるアドレス（ファイル名））と、そのコンテンツに対応するメタ情報とを格納している。
【００４７】
Ｗｅｂページに対応するメタ情報は、例えば、タイトル、取得日時、Ｗｅｂページの内容説明等である。また、コンテンツに対応するメタ情報は、内容説明、コンテンツを表示するためのアプリケーション、ファイルサイズ、適切な回線速度等である。
【００４８】
その後、利用者がＰＣ４からコンテンツハンドリング装置１にアクセスすると、コンテンツハンドリング装置１はＷｅｂページ送信機能１６によりリンク情報データベース１４から当該利用者に対応する領域の情報を取得し、例えば、図６に示す画面を利用者のＰＣ４に表示する。すなわち、リンク情報データベース１４には図５に示す前述した情報が格納されているので、図６に示す画面を表示することが可能である。図６のように、メタ情報（コンテンツの説明等）が表示されることにより、所望のコンテンツを容易に取得できる。
【００４９】
このとき、例えば、利用者にコンテンツ格納の期間を指定させたり、また、キーワードを入力させたりなどにより、絞り込んだ情報のみを表示するようにしてもよい。
【００５０】
なお、ストレージにコンテンツの内容自身を格納するのではなく、コンテンツのアクセス先の情報を格納しておき、ＰＣ４からコンテンツハンドリング装置経由でコンテンツ提供装置からコンテンツを取得するよう構成することもできる。
【００５１】
なお、本発明は、上記の実施例に限定されることなく、特許請求の範囲内において、種々変更・応用が可能である。
【００５２】
【発明の効果】
上記のように本発明によれば、利用者にとっては携帯端末からアクセスしたＷｅｂページに関連する豊富な情報に容易にアクセスできるようになり、また、情報提供者に対して携帯端末用の情報以外の豊富な情報を利用者に提供する機会を与えることが可能となる。
【００５３】
【図面の簡単な説明】
【図１】本発明の実施の形態におけるシステム構成図である。
【図２】本発明の実施の形態におけるシステムの動作概要を説明するためのシーケンスチャートである。
【図３】本発明の実施の形態におけるコンテンツハンドリング装置の機能構成と他の装置との情報の送受信を示す図である。
【図４】本発明の実施の形態において携帯端末に表示される画面例を示す図である。
【図５】本発明の実施の形態においてリンク情報データベースに格納される情報の例を示す図である。
【図６】本発明の実施の形態において利用者のＰＣに表示される画面例を示す図である。
【符号の説明】
１  コンテンツハンドリング装置
２  コンテンツ提供装置
３  ストレージ装置
４  ＰＣ（パーソナルコンピュータ）
５  インターネット
６  携帯端末
１１  メタ情報処理機能
１２  ＵＲＬ書き換え処理機能
１３  リンク情報／メタ情報処理機能
１４  リンク情報データベース
１５  コンテンツ変換機能
１６  Ｗｅｂページ送信機能
【図１】
2004355276.tif 000003
【図２】
2004355276.tif 000004
【図３】
2004355276.tif 000005
【図４】
2004355276.tif 000006
【図５】
2004355276.tif 000007
【図６】
2004355276.tif 000008